(57)【要約】【課題】イヤホンを使用しないと聴取できなかった。【解決手段】イヤホンケーブル４５ｃに誘起した高周波信号が入力される高周波信号入力端子２５と、この高周波信号入力端子２５が接続された受信回路２６と、この受信回路２６に基準発振周波数信号が入力される基準信号入力端子３６と、受信回路２６にデータ信号が入力されるデータ信号入力端子３７と、受信回路２６の出力にイヤホンケーブル４５ｃに連結されたイヤホン４５ａ、４５ｂが接続される受信回路出力端子２７ａ、２７ｂとを備えた高周波受信モジュール４０において、高周波受信モジュール４０内に、アンテナエレメント２１が接続されるアンテナ入力端子２２と、このアンテナ入力端子２２に接続されたアンテナ整合回路２３と、このアンテナ整合回路２３の出力が接続されたアンテナ出力端子２４を設けたものである。  これにより、所期の目的を達成することができる。【選択図】図１
2007251327.tif 000002
【特許請求の範囲】
【請求項１】
イヤホンケーブルに誘起した高周波信号が入力される高周波信号入力端子と、この高周波信号入力端子が接続された受信回路と、この受信回路に基準発振周波数信号が入力される基準信号入力端子と、前記受信回路にデータ信号が入力されるデータ信号入力端子と、前記受信回路の出力に前記イヤホンケーブルに連結されたイヤホンが接続される受信回路出力端子とを備えた高周波受信モジュールにおいて、前記高周波受信モジュール内に、アンテナエレメントが接続されるアンテナ入力端子と、このアンテナ入力端子に接続されたアンテナ整合回路と、このアンテナ整合回路の出力が接続されたアンテナ出力端子が設けられた高周波受信モジュール。
【請求項２】
高周波受信モジュールは、略四角形をした回路基板上に形成されるとともに、アンテナ入力端子と基準信号入力端子とは、前記回路基板の対角線近傍に設けられた請求項１に記載の高周波受信モジュール。
【請求項３】
アンテナ出力端子に隣接して高周波信号入力端子が設けられた請求項１に記載の高周波受信モジュール。
【請求項４】
高周波信号入力端子の近傍に受信回路出力端子が設けられた請求項１に記載の高周波受信モジュール。
【請求項５】
アンテナ整合回路に電源を供給するアンテナ回路電源端子と、受信回路に電源を供給する受信回路電源端子とは、夫々独立に設けられた請求項１に記載の高周波受信モジュール。
【請求項６】
データ信号入力端子は、アンテナ入力端子とアンテナ出力端子と高周波信号入力端子から離れた位置に設けられた請求項１に記載の高周波受信モジュール。
【請求項７】
回路基板の一方の側面にアンテナ整合回路のグランド端子が設けられるとともに、他方の側面には受信回路のグランド端子が設けられた請求項１に記載の高周波受信モジュール。
【請求項８】
請求項１に記載の高周波受信モジュールのアンテナ入力端子に接続されたアンテナエレメントと、アンテナ出力端子に一方の選択端子が接続されるとともに他方の選択端子は高周波信号入力端子に接続されたアンテナ切換スイッチと、このアンテナ切換スイッチの共通端子にコンデンサを介して接続されたイヤホンと、このイヤホンと受信回路出力端子との間に接続されたインダクタと、前記受信回路出力端子に接続された出力手段と、基準信号入力端子に接続された基準信号と、データ信号入力端子に接続されたデータとを有する高周波受信装置。
【請求項９】
請求項１に記載の高周波受信モジュールの代わりに請求項３に記載の高周波受信モジュールを用い、イヤホンとアンテナ切換スイッチの代わりにアンテナ出力端子と高周波信号入力端子とを直接接続した請求項８に記載の高周波受信装置。
【請求項１０】
請求項１に記載の高周波受信モジュールの代わりに請求項５に記載の高周波受信モジュールを用い、アンテナ切換スイッチとアンテナ回路電源端子に供給される電源とは連動した請求項８に記載の高周波受信装置。
【発明の詳細な説明】
【技術分野】
【０００１】
本発明は、高周波受信モジュールとこれを用いた高周波受信装置に関するものである。
【背景技術】
【０００２】
以下、従来の高周波受信装置について説明する。従来の高周波受信装置は、図５に示すような構成となっていた。即ち、従来の高周波受信装置１は、イヤホン８ａ、８ｂの接続に用いられるイヤホンケーブル８ｃに誘起した高周波信号が入力される高周波信号入力端子２と、この高周波信号入力端子２が接続された受信回路３と、この受信回路３に基準発振周波数信号が入力される基準信号入力端子４と、受信回路３にデータ信号が入力されるデータ信号入力端子５と、受信回路３の出力が接続された受信回路出力端子６ａ、６ｂと、これら受信回路出力端子６ａ、６ｂにそれぞれインダクタ７ａ、７ｂを介して一方の入力にそれぞれ接続されるイヤホン８ａ、８ｂと、これらイヤホン８ａ、８ｂの他方の入力と受信回路３のグランド端子６ｃの間に接続されるインダクタ７ｃと、イヤホン８ａまたは８ｂの一方の端子と高周波信号入力端子２との間に接続されたコンデンサ９と、受信回路３に電源を供給する受信回路電源端子１０とから構成されていた。そして、これらの回路の殆どは、モジュール１７内に実装されており、インダクタ７ａ、７ｂ、７ｃとイヤホン８ａ、８ｂとコンデンサ９がモジュール１７の外部で接続されていた。
【０００３】
ここで、受信回路３は、高周波信号入力端子２に接続された高周波増幅器１１と、この高周波増幅器１１の出力が一方の入力に供給されるとともに他方の入力には電圧制御発振器１２の出力が接続されたミキサ１３と、このミキサ１３の出力が接続された検波器１４と、この検波器１４の出力と受信回路出力端子６ａ、６ｂとの間に接続されたステレオ回路１５と、電圧制御発振器１２に閉ループ状に接続されたＰＬＬ回路１６とで構成されている。また、このＰＬＬ回路１６には、基準信号入力端子４と、データ信号入力端子５が接続されている。
【０００４】
以上のように構成された高周波受信装置１について、以下にその動作を説明する。イヤホン８ａ、８ｂのイヤホンケーブル８ｃに誘起したＦＭ信号（高周波信号の一例として用いた）は、コンデンサ９を介して高周波信号入力端子２に入力される。このＦＭ信号は高周波増幅器１１で増幅された後、ミキサ１３で電圧制御発振器１２の出力とミキシングされ予め定められた一定の中間周波数となり選局される。この選局は、データ信号入力端子５へ入力された信号に基づいてＰＬＬ回路１６で電圧制御発振器１２の発振周波数を制御することにより行なわれる。
【０００５】
ミキサ１３から出力される選局された中間周波数は検波器１４で検波される。そして、ステレオ回路１５でステレオ増幅されてイヤホン８ａ、８ｂへ音声出力される。このイヤホン８ａ、８ｂを耳に装着して一人で聴取できる。
【０００６】
なお、この出願の発明に関連する先行技術文献情報としては、例えば、特許文献１が知られている。
【特許文献１】特開平９−３３１２０９号公報
【発明の開示】
【発明が解決しようとする課題】
【０００７】
しかしながらこのような従来の高周波受信装置では、イヤホンケーブル８ｃをアンテナと兼用して、イヤホン８ａ、８ｂで聴取していた。従って、イヤホン８ａ、８ｂを用いないと放送を楽しむことはできず、聴取者は一人或いは二人に限り、大勢で楽しむことはできなかった。
【０００８】
そこで本発明は、この問題を解決したもので、イヤホンを用いなくても多人数でも放送を楽しむことができる高周波受信モジュールとこれを用いた高周波受信装置を提供することを目的としたものである。
【課題を解決するための手段】
【０００９】
この目的を達成するために本発明の高周波受信モジュールは、高周波受信モジュール内に、アンテナエレメントが接続されるアンテナ入力端子と、このアンテナ入力端子に接続されたアンテナ整合回路と、このアンテナ整合回路の出力が接続されたアンテナ出力端子が設けられたものである。これにより、所期の目的を達成することができる。
【発明の効果】
【００１０】
本発明によれば、高周波受信モジュール内に、アンテナエレメントが接続されるアンテナ入力端子を有しているので、アンテナエレメントからの高周波信号を受信できる。従って、従来のようにイヤホンケーブルをアンテナとして用いる必要は無いので、受信回路出力端子にスピーカ等を接続すれば、多人数で放送を楽しむことができる。
【００１１】
また、アンテナ出力端子を有しているので、アンテナエレメントからの高周波信号とイヤホンケーブルからの高周波信号とを選択できるアンテナ切換スイッチを用いれば、電波状態に応じてどちらか一方のアンテナを選択して用いることができる。
【００１２】
更に、アンテナ整合回路を有しているので、アンテナ入力端子には、小型のアンテナエレメントを接続することができ、携帯に適した小型化された高周波受信装置に用いることができるとともに、充分な感度で放送を楽しむことができる。
【発明を実施するための最良の形態】
【００１３】
以下、本発明の実施の形態について図面に基づいて説明する。
【００１４】
（実施の形態１）
図１は本発明の実施の形態１における高周波受信モジュールとこれを用いた高周波受信装置の回路ブロック図である。本実施の形態における高周波受信モジュール４０は、図１に示すように、アンテナエレメント２１が接続されるアンテナ入力端子２２と、このアンテナ入力端子２２に接続されたアンテナ整合回路２３と、このアンテナ整合回路２３の出力が接続されたアンテナ出力端子２４と、このアンテナ出力端子２４の近傍に設けられた高周波信号入力端子２５と、この高周波信号入力端子２５に接続された受信回路２６と、この受信回路２６の出力が接続された受信回路出力端子２７ａ、２７ｂとで構成されている。
【００１５】
ここで、アンテナ整合回路２３は、アンテナ入力端子２２に接続された整合回路２８と、この整合回路２８の出力が接続された高周波増幅器２９とで構成されており、この高周波増幅器２９の出力は、アンテナ出力端子２４に接続されている。
【００１６】
また、受信回路２６は、高周波信号入力端子２５に接続された高周波増幅器３０と、この高周波増幅器３０の出力が一方の入力に供給されるとともに他方の入力には電圧制御発振器３１の出力が接続されたミキサ３２と、このミキサ３２の出力が接続された検波器３３と、この検波器３３の出力と受信回路出力端子２７ａ、２７ｂとの間に接続されたステレオ回路３４と、電圧制御発振器３１に閉ループ状に接続されるとともに電圧制御発振器３１を制御するＰＬＬ回路３５とで構成されている。
【００１７】
このＰＬＬ回路３５には、基準信号入力端子３６と、データ信号入力端子３７が接続されている。３８は、受信回路２６に電源を供給する受信回路電源端子であり、３９はアンテナ整合回路２３に電源を供給するアンテナ回路電源端子である。このアンテナ回路電源端子３９と受信回路電源端子３８とを夫々独立して設けており、アンテナ整合回路２３と受信回路２６は夫々独立に電源を供給することができる。以上のように、高周波受信モジュール４０は構成されている。
【００１８】
また、高周波受信装置４１は、高周波受信モジュール４０を用いて、以下のように構成されている。即ち、アンテナ入力端子２２には、約５ｃｍの長さを有するアンテナエレメント２１が接続される。また、受信回路出力端子２７ａには出力手段４２として、増幅器４２ａと、この増幅器４２ａの出力に接続されたスピーカ４２ｂが接続される。同様に、受信回路出力端子２７ｂには出力手段４２として、増幅器４２ｃと、この増幅器４２ｃの出力に接続されたスピーカ４２ｄが接続されている。
【００１９】
さらに、受信回路出力端子２７ａと、２７ｂは、約５μＨのインダクタ４３ａ、４３ｂを介してイヤホンコネクタ４４の端子４４ａ、４４ｂにそれぞれ接続されている。このイヤホンコネクタ４４に設けられた端子４４ｃは、約５μＨのインダクタ４３ｃを介して受信回路２６のグランド端子２７ｃに接続されている。
【００２０】
このイヤホンコネクタ４４と、このイヤホンコネクタ４４に対して挿抜自在に設けられたイヤホンコネクタ４６とによりイヤホンコネクタ４７が構成されている。イヤホンコネクタ４６に設けられた端子４６ａ、４６ｂ、４６ｃは、イヤホンコネクタ４４の端子４４ａ、４４ｂ、４４ｃにそれぞれ接続される構造としている。
【００２１】
そして、イヤホンコネクタ４６の端子４６ａ、４６ｃとイヤホン４５ａとは約４０ｃｍの長さを有するイヤホンケーブル４５ｃで接続されている。同様に、イヤホンコネクタ４６の端子４６ｂ、４６ｃとイヤホン４５ｂとは約４０ｃｍの長さを有するイヤホンケーブル４５ｃで接続されている。
【００２２】
アンテナ出力端子２４からは、アンテナ切換スイッチ４８の一方の選択端子４８ａに接続されており、他方の選択端子４８ｂとイヤホンコネクタ４４の端子４４ａまたは４４ｂとの間には、約１０００ｐＦのコンデンサ４９が接続されている。また、アンテナ切換スイッチ４８の共通端子４８ｃは、高周波信号入力端子２５に接続されている。
【００２３】
コンデンサ４９は、高周波信号（５０ＭＨｚ以上）に対しては、低抵抗となり殆ど零オームの導通状態となる。また、音声等の低周波信号（２０ＫＨｚ以下）に対しては、高抵抗となり殆ど遮断される。逆に、インダクタ４３ａ、４３ｂ、４３ｃは、高周波信号（５０ＭＨｚ以上）に対しては、高抵抗となり殆ど遮断状態となる。また、音声等の低周波信号（２０ＫＨｚ以下）に対しては、低抵抗となり殆ど導通状態となる。
【００２４】
従って、イヤホンケーブル４５ｃに誘起した高周波信号は、コンデンサ４９を介してアンテナ切換スイッチ４８の他方の選択端子４８ａに供給される。一方、受信回路出力端子２７ａ、２７ｂから出力される音声等の低周波は、インダクタ４３ａ、４３ｂ、４３ｃを介してイヤホン４５ａ、４５ｂに供給される。
【００２５】
例えば、アンテナ切換スイッチ４８を選択端子４８ａ側に切換えると、アンテナ出力端子２４は高周波信号入力端子２５と接続される。また、アンテナ切換スイッチ４８を選択端子４８ｂ側に切換えると、イヤホンケーブル４５ｃに誘起した高周波信号は高周波信号入力端子２５に入力される。
【００２６】
従って、本実施の形態においては、アンテナ切換スイッチ４８の切換えと、アンテナ回路電源端子３９に供給される電源と受信回路電源端子３８に供給される電源とは、連動させており、アンテナ切換スイッチ４８の共通端子４８ｃが選択端子４８ａと接続されているときのみ、アンテナ回路電源端子３９に電源を供給するようにしている。従って、アンテナ整合回路２３を不使用のときは、余分な電力を使用しないようにしている。
【００２７】
以上のように構成された高周波受信装置４１について、以下にその動作を説明する。先ず、多人数で放送を視聴する場合について説明する。この場合は、アンテナ切換スイッチ４８の共通端子４８ｃを選択端子４８ａ側に切換える。また、この切換えと連動して、アンテナ整合回路２３に電源を供給する。
【００２８】
アンテナエレメント２１から入力されたＦＭ帯の高周波信号は、アンテナ入力端子２２を介して、整合回路２８に入力される。この高周波信号は本実施の形態では、ＦＭ放送信号を用いているがこれはＦＭ放送信号に限ることはなく、ＶＨＦ帯のテレビ放送信号であってもよい。
【００２９】
これらの放送波の波長は数メートルであり、これに対してアンテナエレメント２１の長さは約５ｃｍと短いので、整合回路２８でインピーダンス整合を行うことにより効率良く高周波信号を受信するようにしている。この整合回路２８の詳細は後述する。
【００３０】
整合回路２８の出力は、高周波増幅器２９、３０を介してミキサ３２の一方へ入力される。このミキサ３２の他方の入力には、電圧制御発振器３１の出力が入力され、このミキサ３２でミキシングされて、予め定められた一定の中間周波数となり選局される。この選局は、データ信号入力端子３７へ入力された信号に基づいてＰＬＬ回路３５で電圧制御発振器３１の発振周波数を制御することにより行なわれる。
【００３１】
ミキサ３２から出力される中間周波数は検波器３３で検波される。そして、ステレオ回路３４でステレオ増幅されて受信回路出力端子２７ａ、２７ｂから右側、左側の音声信号が出力される。この出力信号は、出力手段４２に入力されて増幅器４２ａ、４２ｃで増幅された後スピーカ４２ｂ、４２ｄから音声として出力される。
【００３２】
また、イヤホンコネクタ４４にイヤホンコネクタ４６を接続しておけば、イヤホン４５ａ、４５ｂで聴取することもできる。なお、テレビ放送信号の場合は、画像出力も同時に出力されるので、出力手段４２に設けられた液晶等の表示部４２ｅ（図４参照）に映像を映すことができる。
【００３３】
次に、イヤホン４５ａ、４５ｂを用いて、一人で放送を視聴する場合について説明する。すなわち、アンテナ切換スイッチ４８の共通端子４８ｃを選択端子４８ｂ側に切換える。また、この切換えと連動して、アンテナ整合回路２３への電源は切断される。従って、電気消費量は節約される。
【００３４】
この場合、イヤホン４５ａ、４５ｂをイヤホンコネクタ４４に装着する。イヤホンケーブル４５ｃに誘起した高周波信号は、高周波信号入力端子２５を介して、高周波増幅器３０に入力される。以後は、先に説明した多人数で放送を視聴する場合と同様であるので、説明を簡略化する。
【００３５】
このようにして、イヤホン４５ａ、４５ｂへ音声出力されるので、このイヤホン４５ａ、４５ｂを耳に装着して一人で音声出力を聴取することができる。イヤホン４５ａ、４５ｂで聴取する場合は、イヤホンケーブル４５ｃをアンテナと兼用している。
【００３６】
なお、アンテナ出力端子２４を有しているので、アンテナエレメント２１からの高周波信号とイヤホンケーブル４５ｃからの高周波信号とをアンテナ切換スイッチ４８で選択できる。このアンテナ切換スイッチ４８により、受信状態に応じてどちらか一方の高周波信号を選択して用いることができる。
【００３７】
すなわち、市街地の受信状態のよい場所では、アンテナエレメント２１を選択し、また、郊外の受信状態の劣化する場所では、イヤホンケーブル４５ｃを選択すればよい。いずれの場合においても、スピーカ４２ｂ、４２ｄあるいはイヤホン４５ａ、４５ｂを用いることができる。
【００３８】
次にアンテナ整合回路２３を構成する整合回路２８と高周波増幅器２９について説明する。図２（ａ）は、整合回路２８の回路図である。即ち、この整合回路２８の入力２８ａと出力２８ｂとの間にはコンデンサ２８ｃが接続されており、出力２８ｂとグランドとの間にはインダクタ２８ｄが接続されている。この整合回路２８は、アンテナエレメント２１と高周波増幅器２９との整合損失を少なくして、受信信号の整合損失を低減するために挿入されている。
【００３９】
図２（ｂ）は、スミスチャート上でのインピーダンスを表している。例えば、アンテナエレメント２１は、ＶＨＦ周波数では抵抗成分が大きいインピーダンス５０ａを有するものとなる。これは、アンテナエレメント２１の長さを、４分の１波長より短い長さである５ｃｍサイズとしたためである。なお、高周波増幅器２９の入力インピーダンスは、例えば７５オーム（以下Ωと記す）に近いインピーダンス５０ｂとしている。
【００４０】
インピーダンス５０ａは、信号ラインに直列に接続されたコンデンサ２８ｃによって、定抵抗円５０ｃに沿って反時計方向に回転される。この結果、インピーダンス５０ｄへ移動する。
【００４１】
図２（ｃ）は、アドミッタンスチャート上でのインピーダンスを表している。このインピーダンス５０ｄは、グランドに接続されたインダクタ２８ｄにより、定コンダクタンス円５０ｅに沿って反時計方向へ回転される。この結果、インピーダンス５０ｂへ移動できる。
【００４２】
このように、コンデンサ２８ｃとインダクタ２８ｄを用いてインピーダンスを移動させることにより、整合回路２８の出力２８ｂから見たアンテナエレメント２１のインピーダンスを高周波増幅器２９の入力インピーダンスに近似させることができる。
【００４３】
つまり、出力２８ｂから見たアンテナエレメント２１の出力インピーダンスと、高周波増幅器２９の入力インピーダンスとを整合させることができる。これにより、アンテナエレメント２１で受信された受信信号は、少ない整合損失で高周波増幅器２９へ入力させることができる。従って、アンテナエレメント２１の受信感度が改善されることになる。
【００４４】
（実施の形態２）
図３は、実施の形態２における高周波モジュール４０の平面図である。なお、図３で使用した部品について、図１と同じものについては同一の番号を付して説明を簡略化している。
【００４５】
図３において、高周波モジュール４０は、長方形の回路基板５５に各構成部品が実装されて構成されている。この高周波モジュール４０のアンテナ入力端子２２には、小型サイズのアンテナエレメント２１が接続される。このアンテナエレメント２１はイヤホンケーブル４５ｃよりアンテナ感度が低いので、高周波増幅器２９により増幅している。つまり、高周波モジュール４０では、高周波増幅器２９の入力は、高感度となっている。
【００４６】
このように、高周波増幅器２９の入力は高感度となっている。次に高感度な部分は、アンテナ出力端子２４、高周波信号入力端子２５であるので、配置上の配慮が必要となる。
【００４７】
この高周波モジュール４０において特に重要なことは、基準信号入力端子３６に入力される１６．３８４ＭＨｚの基準信号の高調波によるスプリアス信号が、アンテナエレメント２１、アンテナ入力端子２２、整合回路２８および高周波増幅器２９の入力に飛び込まないようにすることである。
【００４８】
例えば、１６．３８４ＭＨｚの５倍の８１．９２ＭＨｚあるいは１６．３８４ＭＨｚの６倍の９８．３０４ＭＨｚは、受信周波数の７６〜１０８ＭＨｚの帯域内となる。これにより、受信感度が劣化することになる。
【００４９】
この回路基板５５において一方の横側面５５ａの左端にはアンテナ入力端子２２が設けられている。また、基準信号入力端子３６は他方の横側面５５ｂの右端に設けられている。即ち、アンテナ入力端子２２と基準信号入力端子３６は、回路基板５５の対角線近傍に設けられており、この回路基板５５上では、最も離れた位置に設けられている。
【００５０】
このように、アンテナ入力端子２２と基準信号入力端子３６は、回路基板５５の対角線近傍に設けることにより、基準信号の高調波によるスプリアス信号の影響を受け難い高周波モジュール４０とできる。
【００５１】
また、アンテナ出力端子２４に隣接して回路基板５５の他方の横側面５５ｂに高周波信号入力端子２５が設けられている。これは、アンテナエレメント２１のみで聴取する高周波受信装置４１において、アンテナ切換スイッチ４８を使用することなく、アンテナ出力端子２４と高周波信号入力端子２５とを最短距離で直結できるためである。このように隣同士を接続することにより、その間でのノイズの侵入が軽減されることと、接続配線が短くでき回路基板５５の配線効率が向上する。
【００５２】
受信回路出力端子２７ａ、２７ｂは、高周波信号入力端子２５と基準信号入力端子３６の間であって、高周波信号入力端子２５の近傍に設けている。これは、基準信号によるスプリアスが受信回路出力端子２７ａ、２７ｂに重畳しないようにするためである。
【００５３】
また、データ信号入力端子３７は、回路基板５５の一方の横側面５５ａの右端に設けている。これにより、データ信号入力端子３７を、アンテナ入力端子２２とアンテナ出力端子２４と高周波信号入力端子２５と受信回路出力端子２７ａ、２７ｂから離すことができる。従って、セット（高周波受信装置を含む）実装時において、データ信号によるスプリアスがアンテナエレメント２１およびイヤホンケーブル４５ｃへ飛び込むのを防止できる。
【００５４】
さらに、回路基板５５の一方の横側面５５ａ側であって、アンテナ入力端子２２に隣接してアンテナ回路電源端子３９が設けられており、このアンテナ回路電源端子３９とデータ信号入力端子３７との間に受信回路電源端子３８が夫々独立に設けられている。
【００５５】
このように配置することにより、アンテナ整合回路２３とアンテナ回路電源端子３９とを短距離で配線することができる。同様に、受信回路２６と受信回路電源端子３８とを短距離で配線することができる。また、アンテナ回路電源端子３９と受信回路電源端子３８は独立に設けているので、別々に制御することができる。即ち、イヤホンアンテナ使用時において、電源電流の節約が可能となる。
【００５６】
また、回路基板５５の左縦側面５５ｃには、アンテナ整合回路２３のグランド５６が設けられており、回路基板５５の右縦側面５５ｄには、受信回路２６のグランド５７が設けられている。このようにアンテナ整合回路２３と、受信回路２６とは別々に独立してグランドが設けられている。
【００５７】
これにより、受信回路２６内に存在する基準信号入力端子３６からの基準信号、電圧制御発振器３１からの発振信号、あるいはデータ信号入力端子３７からのデータ信号等によるスプリアス信号は、グランドを介してアンテナ整合回路２３に流入することがない。従って、アンテナ整合回路２３が妨害を受けないので、受信感度の良い高周波受信モジュール４０を実現することができる。
【００５８】
さらに、回路基板５５には、前記各電気部品を覆うようにシールドケースが被せられている。従って、外部からの高周波ノイズの侵入を抑制している。また、外部への信号漏洩も防止している。
【００５９】
（実施の形態３）
図４は、本発明の高周波モジュール４０を用いた高周波受信装置４１の展開平面図である。この高周波受信装置４１の筐体６０は、直方体形状であり、中央部６１で折り曲げて重合自在に形成されている。折り曲げられた一方の筐体６０ａには、液晶で形成された出力手段４２としての表示部４２ｅが設けられており、他方の筐体６０ｂにはその他の構成要素が格納されている。
【００６０】
筐体６０ｂの左縦端には、アンテナエレメント２１が設けられており、このアンテナエレメント２１に隣接して、高周波モジュール４０が配置されている。データ信号入力端子３７には、データ信号３７ａが供給される。基準信号入力端子３６には、基準信号３６ａが供給される。
【００６１】
高周波モジュール４０のアンテナ入力端子２２と反対側には、アンテナ切換スイッチ４８が設けられている。このアンテナ切換スイッチ４８に隣接してイヤホンコネクタ４４が装着されている。
【００６２】
高周波モジュール４０のアンテナエレメント２１の反対側には、増幅器４２ａ、４２ｃとスピーカ４２ｂ、４２ｄとが配置されている。イヤホン４５ａ、４５ｂは、イヤホンコネクタ４６でイヤホンコネクタ４４と接続される。
【産業上の利用可能性】
【００６３】
本発明の高周波モジュールは、イヤホンのみでなく、多人数で聴取することができるので、高周波受信装置等に適用することができる。
【図面の簡単な説明】
【００６４】
【図１】本発明の実施の形態１における高周波受信装置のブロック図
【図２】（ａ）同、整合回路の回路図、（ｂ）同、スミスチャート上でのインピーダンスを示す図、（ｃ）同、アドミッタンスチャート上でのインピーダンスを示す図
【図３】同、実施の形態２における高周波受信モジュールの平面図
【図４】同、実施の形態３における高周波受信装置の展開平面図
【図５】従来の高周波受信装置のブロック図
【符号の説明】
【００６５】
２１  アンテナエレメント
２２  アンテナ入力端子
２３  アンテナ整合回路
２４  アンテナ出力端子
２５  高周波信号入力端子
２６  受信回路
２７  受信回路出力端子
３６  基準信号入力端子
３７  データ信号入力端子
４０  高周波受信モジュール
４５ａ  イヤホン
４５ｂ  イヤホン
４５ｃ  イヤホンケーブル
【図１】
2007251327.tif 000003
【図２】
2007251327.tif 000004
【図３】
2007251327.tif 000005
【図４】
2007251327.tif 000006
【図５】
2007251327.tif 000007